【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
１つ以上の放射性同位体源から被験体へと電離放射線を送達するように構成された照射装置、
前記照射装置と動作的に結合された磁気共鳴画像化システムであって、前記磁気共鳴画像化システムは、前記被験体から磁気共鳴画像化データを取得するように構成されている、磁気共鳴画像化システム、および
放射線治療システムが実質的に同時に
（ａ）前記被験体に電離放射線を送達するように前記照射装置を制御し；そして
（ｂ）前記被験体から磁気共鳴画像化データを取得するように前記磁気共鳴画像化システムを制御する
ように、前記照射装置および前記磁気共鳴画像化システムに接続されたコントローラ
を有している放射線治療システム。
【請求項２】
前記磁気共鳴画像化データが、
磁気共鳴画像化システムの画像；
トレーサの摂取の領域を特定するためのデータ；
コントラスト強調の領域を特定するためのデータ；
分光学的情報；
代謝の情報；
生理学的情報；
磁気共鳴血管造影データ；および
リンパ管造影データ、
からなる群より選択されるデータを含む、請求項１に記載の放射線治療システム。
【請求項３】
前記磁気共鳴画像化の磁界が、放射ビームに対して直交している、請求項１に記載の放射線治療システム。
【請求項４】
前記磁気共鳴画像化データが、分光学的情報を含む、請求項１に記載の放射線治療システム。
【請求項５】
前記磁気共鳴画像化データが、磁気共鳴画像化システムの画像を含む、請求項１に記載の放射線治療システム。
【請求項６】
前記磁気共鳴画像化データが、トレーサの摂取の領域を特定するためのデータを含む、請求項１に記載の放射線治療システム。
【請求項７】
前記磁気共鳴画像化システムが、取得した磁気共鳴画像化データを被験体の送達された電離放射線への応答を監視するために使用するようにさらに構成されている請求項１に記載の放射線治療システム。
【請求項８】
前記コントローラが、照射の最中に前記被験体の体構造および前記被験体内の放射線治療ターゲットの動きを追跡するため、前記電離放射線の送達と実質的に同時に取得した磁気共鳴画像化データについて、変形可能画像の位置合わせ法を使用するようにさらに構成されている請求項１に記載の放射線治療システム。
【請求項９】
前記コントローラが、前記被験体に送達される放射線量を割り出すため、前記電離放射線の送達と実質的に同時に取得した磁気共鳴画像化データについて、線量計算の方法を使用するようにさらに構成されている請求項１に記載の放射線治療システム。
【請求項１０】
前記コントローラが、前記被験体に送達される放射線量を割り出すため、前記電離放射線の送達と実質的に同時に取得した磁気共鳴画像化データについて、変形可能画像の位置合わせ法および線量計算の方法を使用するようにさらに構成されている請求項１に記載の放射線治療システム。
【請求項１１】
前記被験体への電離放射線の送達が、強度変調放射線処置を含み、そして前記コントローラが、前記強度変調放射線治療処置を再最適化するため、前記電離放射線の送達と実質的に同時に取得した磁気共鳴画像化データについて、変形可能画像の位置合わせ法、線量計算の方法、およびＩＭＲＴ最適化の方法を使用するようにさらに構成されている請求項１に記載の放射線治療システム。
【請求項１２】
前記コントローラが、前記被験体に対して生体内温度測定法を実行するために、前記電離放射線の送達と実質的に同時に取得した磁気共鳴画像化データを使用するようにさらに構成されている請求項１に記載の放射線治療システム。
【請求項１３】
前記照射装置が、前記被験体に対して除去的治療（ａｂｌａｔｉｖｅ  ｔｈｅｒａｐｙ）を実行するように電離放射線を送達するように構成されており、そして前記コントローラが、前記磁気共鳴画像化装置によって取得された磁気共鳴画像化データを使用して、前記除去的治療の実行を実質的に同時に案内するように構成されている請求項１に記載の放射線治療システム。
【請求項１４】
前記照射装置が、前記被験体内の増殖性組織を制御するように電離放射線を送達するように構成されており、そして前記コントローラが、前記磁気共鳴画像化装置によって取得された磁気共鳴画像化データを使用して、前記電離放射線の送達を実質的に同時に案内するように構成されている、請求項１に記載の放射線治療システム。
【請求項１５】
前記被験体内の増殖性組織が血管の増殖性組織である請求項１４に記載の放射線治療システム。
【請求項１６】
前記照射装置が、前記磁気共鳴画像化データの取得と実質的に同時に電離放射線の送達を調節するための、１つ以上のマルチリーフ・コリメータをさらに備える、請求項１に記載の放射線治療システム。
【請求項１７】
前記照射装置が、閉じられたときに１つ以上の放射源を選択的に遮断するための１つ以上の独立したリーフを備える二重ダイバージェント・マルチリーフ・コリメータ・システムをさらに備える、請求項１６に記載の放射線治療システム。
【請求項１８】
前記被験体への電離放射線の送達が、強度変調放射線処置を含み、そして前記コントローラが、前記磁気共鳴画像化データから送達放射線量を割り出し、そして前記被験体に送達されるべき強度変調放射線治療処置を再最適化することがさらに可能である請求項１に記載の放射線治療システム。
【請求項１９】
前記磁気共鳴画像化システムが、１．０Ｔ未満の磁界強度で動作する、請求項１に記載の放射線治療システム。
【請求項２０】
前記磁気共鳴画像化システムが、０．２Ｔ〜０．５Ｔの磁界強度で動作する、請求項１９に記載の放射線治療システム。
【請求項２１】
前記磁気共鳴画像化システムが、
前記照射装置からの電離放射線の送達前；および
前記照射装置からの電離放射線の送達後、
からなる群より選択される時間の間に第１のセットの磁気共鳴画像化データを取得するようにさらに構成されており；
前記磁気共鳴画像化システムが、前記照射装置からの電離放射線の送達と実質的に同時に体構造およびターゲットを追跡するための第２のセットの磁気共鳴画像化データを取得するようにさらに構成されており；そして
前記第１のセットの磁気共鳴画像化データは、高い磁界強度において取得され、そして前記第２のセットの磁気共鳴画像化データは、低い磁界強度において取得される、
請求項１に記載の放射線治療システム。
【請求項２２】
前記磁気共鳴画像化システムが、
前記照射装置からの電離放射線の送達前；および
前記照射装置からのγ放射線の送達後、
からなる群より選択される時間の間に、空間サンプリング・パターンを含む第１のセットの磁気共鳴画像化データを取得するようにさらに構成されており；
前記磁気共鳴画像化システムは、前記照射装置からの電離放射線の送達と実質的に同時に、器官の運動を捕捉するために、空間サンプリング・パターンを含む第２のセットの磁気共鳴画像化データを取得するようにさらに構成されており；そして
前記第１のセットの磁気共鳴画像化データは、前記第２のセットの磁気共鳴画像化データよりも高い信号対雑音比を有する、
請求項１に記載の放射線治療システム。
【請求項２３】
前記磁気共鳴画像化システムが、
高磁界の送出システムであって、前記高磁界の送出システムが、前記照射装置からの電離放射線の送達前に取得された高品質の診断磁気共鳴画像化データを提供するように構成されている、高磁界の送出システム；および
低磁界の送出システムであって、前記低磁界の送出システムが、前記磁気共鳴画像化データが取得されるのと同時に、送達された線量の分布の乱れを少なくさせながら、前記被験体内の体構造の空間的配向を追跡するために充分な低品質の磁気共鳴画像化データを提供するように構成されており、その結果、前記被験体の体構造および送達される電離放射線のためのターゲットが、電離放射線の送達と実質的に同時に追跡される、低磁界の送出システム、
をさらに備える、請求項１に記載の放射線治療システム。
【請求項２４】
前記放射性同位体が、コバルト６０である、請求項１に記載の放射線治療システム。
【請求項２５】
前記１つ以上の放射性同位体源が、
コバルト６０；
イリジウム１９２；
セシウム１３７；
イッテルビウム１６９；および
ツリウム１７０、
からなる群より選択される、請求項１に記載の放射線治療システム。
【請求項２６】
前記磁気共鳴画像化システムが、１．０Ｔ未満の磁界強度で動作する、請求項２５に記載の放射線治療システム。
【請求項２７】
前記磁気共鳴画像化システムが、０．２Ｔ〜０．５Ｔの磁界強度で動作し、そして前記磁気共鳴画像化の磁界が、放射ビームに対して直交している、請求項２６に記載の放射線治療システム。
【請求項２８】
磁気共鳴画像化システムを使用して、患者への電離放射線の送達を案内するための方法であって、前記方法は、
１つ以上の放射性同位体源から電離放射線を送達する工程；
前記磁気共鳴画像化システムから磁気共鳴画像化データを取得する工程、
を包含し、前記送達する工程および取得する工程が、実質的に同時に実施される、方法。
【請求項２９】
前記送達する工程の前に、電離放射線の送達のための治療計画を決定する工程；および
前記取得する工程の間に取得された磁気共鳴画像化データに少なくとも部分的に基づいて、前記治療計画を変更する工程、
をさらに包含する、請求項２８に記載の方法。
【請求項３０】
前記１つ以上の放射性同位体源が、
コバルト６０；
イリジウム１９２；
セシウム１３７；
イッテルビウム１６９；および
ツリウム１７０、
からなる群より選択される、請求項２８に記載の方法。
【請求項３１】
前記磁気共鳴画像化システムが、１．０Ｔ未満の磁界強度で動作する、請求項３０に記載の方法。
【請求項３２】
前記磁気共鳴画像化システムが、０．２Ｔ〜０．５Ｔの磁界強度で動作し、そして前記磁気共鳴画像化の磁界が、放射ビームに対して直交している、請求項３１に記載の方法。
【請求項３３】
電離放射線を送達するための装置と磁気共鳴画像化システムとを同時に制御して、磁気共鳴画像化データを使用して電離放射線の送達を案内するための、コンピュータ・プログラム製品であって、前記コンピュータ・プログラム製品は、コンピュータ読み取り可能プログラムコード部分が保存されているコンピュータ読み取り可能保存媒体を備え、前記コンピュータ読み取り可能プログラムコード部分は、
１つ以上の放射性同位体源から電離放射線を送達するための第１のセットのコンピュータ指示；
電離放射線の送達と実質的に同時に前記磁気共鳴画像化システムから磁気共鳴画像化データを取得するための第２のセットのコンピュータ指示、
を含む、コンピュータ・プログラム製品。
【請求項３４】
前記送達の前に、電離放射線の送達についての治療計画を決定するための第３のセットのコンピュータ指示；
前記取得の間に取得された磁気共鳴画像化データに少なくとも部分的に基づいて、前記治療計画を変更するための第４のセットのコンピュータ指示、
をさらに含む、請求項３３に記載のコンピュータ・プログラム製品。
【請求項３５】
画像案内放射線治療のための放射線治療装置であって、
１つ以上の放射性同位体源から被験体へと電離放射線を送達するように構成されている、照射装置；
前記照射装置に動作的に結合されている磁気共鳴画像化装置であって、前記磁気共鳴画像化装置は、前記被験体から磁気共鳴画像化データを取得するように構成されている、磁気共鳴画像化装置；および
前記放射線治療装置が実質的に同時に
（ａ）前記被験体に電離放射線を送達するように前記照射装置を制御し；そして
（ｂ）前記被験体から磁気共鳴画像化データを取得するように前記磁気共鳴画像化装置を制御する
ように、前記照射装置および前記磁気共鳴画像化装置に接続されているコントローラ、
を備える、放射線治療装置。
【請求項３６】
前記１つ以上の放射性同位体源が、
コバルト６０；
イリジウム１９２；
セシウム１３７；
イッテルビウム１６９；および
ツリウム１７０、
からなる群より選択される、請求項３５に記載の放射線治療装置。
【請求項３７】
前記磁気共鳴画像化装置が、１．０Ｔ未満の磁界強度で動作する、請求項３６に記載の放射線治療装置。
【請求項３８】
前記磁気共鳴画像化装置が、０．２Ｔ〜０．５Ｔの磁界強度で動作し、そして前記磁気共鳴画像化の磁界が、放射ビームに対して直交している、請求項３７に記載の放射線治療装置。
【請求項３９】
前記照射装置による前記被験体の照射の間に電離放射線に暴露された被験体内の領域の画像を取得するために、前記磁気共鳴画像化装置が、０．２Ｔ〜０．５Ｔの磁界強度で動作する、請求項３６に記載の放射線治療装置。
【請求項４０】
被験体の同時の放射線治療および画像化のための放射線治療装置であって、前記装置は、
分割ソレノイド磁気共鳴画像化システム、および
マルチリーフ・コリメータ強度変調放射線治療ユニットを備える遮蔽された同時位置合わせ同位体放射源であって、前記マルチリーフ・コリメータ強度変調放射線治療ユニットは、放射線治療と画像化とを同時に行われるべき被験体の周りでの軸方向の回転のためのものである、同位体放射源、
を備える、放射線治療装置。
【請求項４１】
前記マルチリーフ・コリメータを備える同時位置合わせ同位体放射源は、固定された主コリメータ、二次二重ダイバージェント・マルチリーフ・コリメータ、および前記二次マルチリーフ・コリメータからのリーフ間の漏れを遮断するための三次マルチリーフ・コリメータを備える、請求項４０に記載の放射線治療装置。